(57)【要約】【課題】病院内の位置情報システムによって看護師の現在位置を把握し、その看護師が携帯する情報機器端末に必要な看護情報を能動的に提供する。【解決手段】ナースコールシステム２のサーバー２６は、複数の院内区域に関連付けて各区域に滞在する患者の看護情報を記憶するための記憶装置２６１を備える。位置情報システム３のサーバー３３は、院内各所に設置された固定局３２と看護師が携行する可動局３１との間の交信情報に基づいて、看護師が現在いる院内区域を特定する。ナースコールシステム３の制御機２５は、特定された院内区域に滞在する患者の看護情報を記憶装置２６１から読み出し、同じ院内区域にいる看護師の情報機器端末２４に提供するための制御を行う。【選択図】図１
2018050739.tif 000002
【特許請求の範囲】
【請求項１】
病院内で看護師が携帯する情報機器端末と、複数の患者の看護情報を病院内の複数の区域に関連付けて記憶する記憶手段と、前記複数の区域のうちから看護師が現在いる区域を特定するための位置情報システムと、特定された前記区域に滞在する患者の看護情報を前記記憶手段から読み出して該区域にいる看護師の前記情報機器端末に提供するための制御を行う制御手段とを含むことを特徴とする看護情報処理システム。
【請求項２】
前記位置情報システムは、前記看護師が携行する可動局と、前記複数の区域にそれぞれ設置された固定局と、該固定局と前記可動局との間の交信情報に基づいて看護師が現在いる前記区域を特定する位置情報サーバーとを含む請求項１記載の看護情報処理システム。
【請求項３】
前記記憶手段は、前記固定局の識別情報を廊下灯および/またはナースコール子機の識別情報に関連付けて記憶するとともに、患者の識別情報を介して前記廊下灯および/またはナースコール子機の識別情報を該患者の看護情報に関連付けて記憶する請求項２記載の看護情報処理システム。
【請求項４】
前記制御手段は、複数の前記患者の看護情報のうち、前記特定された区域にいる看護師が担当する患者の看護情報のみを前記情報機器端末に表示するための制御を行う請求項１、２又は３記載の看護情報処理システム。
【請求項５】
前記制御手段は、複数の前記患者の看護情報のうち、前記特定された区域にいる看護師が担当する患者の看護情報を、該看護師が担当しない患者の看護情報よりも優先させて前記情報機器端末に表示するための制御を行う請求項１、２又は３記載の看護情報処理システム。
【請求項６】
前記患者の看護情報は、看護師が看護記録を入力するためのフォーマット情報を含む請求項１〜５の何れか一項に記載の看護情報処理システム。
【発明の詳細な説明】
【技術分野】
【０００１】
本発明は、病院や介護施設等（以下、病院と呼ぶ）に設備された位置情報システムを利用して、患者や被介護者等（以下、患者と呼ぶ）の看護情報を看護師や医師等（以下、看護師と呼ぶ）が携帯する情報機器端末に提供する看護情報処理システムに関する。
【背景技術】
【０００２】
従来、患者がナースコール子機で看護師を呼び出したときに、その看護師が携帯するＰＤＡ等の情報機器端末に、呼出元の患者に関連する看護情報を表示目的で提供するナースコールシステムが知られている。
【０００３】
例えば、特許文献１のナースコールシステムは、通信機能を備えた情報機器端末を看護師に携行させ、その情報機器端末にナースコール子機からの呼出信号を送信するとともに、該ナースコール子機に関連付けられた患者の看護情報をナースコールサーバから情報機器端末に送信するように構成されている。
【０００４】
また、特許文献２のナースコールシステムは、複数ある情報機器端末のうち、ナースコールを行った患者に最寄りの情報機器端末に、そのナースコールに応答すべき看護師はあなたであることを知らせるための特別な文字情報および着信音を提供するように構成されている。なお、特許文献３には、屋内における無線携帯端末の位置検出にＩＭＥＳ（Indoor MEssaging System）を用いた技術が記載されている。
【先行技術文献】
【特許文献】
【０００５】
【特許文献１】特開２００９−２１２８１３号公報
【特許文献２】特開２０１４−２０４７５１号公報
【特許文献３】特開２０１１−１４５８７３号公報
【発明の概要】
【発明が解決しようとする課題】
【０００６】
ところが、従来のナースコールシステムは、患者による呼び出しに応答して看護情報を看護師の手元にある情報機器端末に提供しているため、呼び出しがなかった場合は、巡回先で看護師が看護履歴を一覧したり看護記録を入力する際に、多くの患者の中から対象となる患者を探し出す必要があり、手間と時間がかかるという問題点があった。
【０００７】
そこで、本発明の目的は、位置情報システムにより看護師の現在位置を把握し、その看護師が携帯する情報機器端末に必要な看護情報を能動的に提供し、看護業務の効率化に貢献することができる看護情報処理システムを提供することにある。
【課題を解決するための手段】
【０００８】
上記課題を解決するために、本発明の看護情報処理システムは、病院内で看護師が携帯する情報機器端末と、複数の患者の看護情報を病院内の複数の区域に関連付けて記憶する記憶手段と、複数の区域のうちから看護師が現在いる区域を特定するための位置情報システムと、特定された区域に滞在する患者の看護情報を記憶手段から読み出してその区域にいる看護師の情報機器端末に提供するための制御を行う制御手段とを含むことを特徴とする。
【０００９】
本発明の好ましい実施形態では、位置情報システムが、看護師の携行する可動局と、複数の院内区域にそれぞれ設置された固定局と、固定局と可動局との間の交信情報に基づいてその看護師が現在いる院内区域を特定する位置情報サーバーとを含む。
【００１０】
本発明の看護情報処理システムは、上記位置情報システムを病院に既設のナースコールシステムに組み合わせて実施することもできる。具体的には、記憶手段が、固定局の識別情報を廊下灯および/またはナースコール子機の識別情報に関連付けて記憶するとともに、患者の識別情報を介して廊下灯および/またはナースコール子機の識別情報をその患者の看護情報に関連付けて記憶することができる。
【００１１】
一方、看護情報処理システムの制御手段は、複数の患者の看護情報を多様な仕方で看護師の情報機器端末に提供することができる。例えば、一実施形態の制御手段は、複数の患者の看護情報のうち、位置情報システムによって特定された区域にいる看護師が担当する患者の看護情報のみを情報機器端末に表示させるような制御を行う。
【００１２】
別の実施形態の制御手段は、複数の患者の看護情報のうち、位置情報システムによって特定された区域にいる看護師が担当する患者の看護情報を、その看護師が担当しない患者の看護情報よりも優先的に情報機器端末に表示させるような制御を行う。
【００１３】
情報機器端末に提供される看護情報は、特定の情報に限定されず、例えば、その患者の看護履歴を表示する情報、担当医師の所在や連絡先を表示する情報などの文字や図形情報のほか、看護師の入力作業を支援するための情報を含む。後者の看護情報には、好ましくは、看護師が看護記録（患者に処置した作業内容）を入力するためのフォーマット情報が含まれる。
【発明の効果】
【００１４】
本発明の看護情報処理システムは、看護師が現在いる院内区域を特定し、この区域に滞在する患者の看護情報を看護師が携帯する情報機器端末に能動的に提供するように構成したので、患者からの呼び出しがない場合でも、看護師は多くの患者の中から目的とする患者の看護情報を容易に入手でき、看護業務を能率よく実施することができるという効果がある。
【図面の簡単な説明】
【００１５】
【図１】本発明の一実施形態を示す看護情報処理システムの全体構成図である。
【図２】位置情報システムの構成を例示する院内レイアウト図である。
【図３】識別情報の関連付けを示す記憶手段のテーブル構成図である。
【図４】看護情報を情報機器端末に表示させるための制御を示すフローチャートである。
【図５】看護情報を表示する情報機器端末の画面遷移図である。
【発明を実施するための形態】
【００１６】
以下、本発明の一実施形態を図面に基づいて説明する。図１に示す看護情報処理システム１は、患者の呼び出しに関連する情報を取り扱うナースコールシステム２と、看護師の病院内における現在位置に関する情報を取り扱う無線位置情報システム３とを備え、両システム２，３の協働により看護情報を位置情報に関連付けて処理できるように構成されている。
【００１７】
ナースコールシステム２には、患者が病室で看護師を呼び出すためのナースコール子機２１、病室前の廊下で患者からの呼び出しを表示する廊下灯２２、ナースセンター内の看護師に患者の呼び出しを知らせるナースコール親機２３、看護師Ｎが携帯するスマートフォン等の情報機器端末２４、これらのナースコール機器を全体的に制御する制御機２５、ナースコールシステム２を位置情報システム３に連携させるためのナースコールサーバー２６が含まれている。
【００１８】
ナースコール子機２１、廊下灯２２、ナースコール親機２３、制御機２５はハブ２７１、ナースコール伝送線２０を介してナースコールサーバー２６に接続されている。情報機器端末２４は基地局２８を介して交換機２９に接続され、交換機２９がハブ２７２とナースコール伝送線２０を介してナースコールサーバー２６に接続されている。そして、ナースコールサーバー２６が病院のオーダリングシステム（図示略）に接続され、そこから提供された複数の患者の看護情報がナースコールシステム２の記憶手段に記憶される。
【００１９】
なお、ナースコールシステム２の記憶手段としては、ナースコールサーバ２６に設けられた記憶装置２６１、または、制御機２５に設けられた記憶装置（図示略）、あるいは、制御機２５とナースコールサーバー２６を一体化したコンピュータ（図示略）の記憶装置、その他、独立型の記憶装置（図示略）を使用することができる。
【００２０】
一方、無線位置情報システム３には、看護師Ｎが携行する可動局機３１と、病院内の複数の区域にそれぞれ設置された固定局機３２と、可動局機３１と固定局機３２との間の交信情報に基づいて看護師Ｎが現在いる院内区域を特定する位置情報サーバー３３とが含まれている。そして、特定された看護師の位置情報が、位置情報サーバー３３の記憶装置３３１に蓄積され、システムの稼働中に常時、位置情報サーバー３３からナースコールサーバー２６を介して制御機２５に提供される。
【００２１】
無線位置情報システム３の固定局機３２は、例えば図２に示すように、患者Ｐが入院する病室６、病室６に連なる廊下７や階段８、または廊下灯２２の内部、その他トイレや診察室など、病院内に予め指定された複数の区域の天井や壁に、好ましくは、ほぼ均等な距離をおいて配置されている。固定局機３２および可動局機３１は、一方を発信機とし、他方を受信機として使用することができる。無線位置情報システム３としては、特許文献３に記載されたＩＭＥＳ、またはＢＬＥ（Bluetooth（登録商標） Low Energy）など、ＧＰＳやＱＺＳＳ電波を受信しにくい屋内用の位置検出または測位システムを利用できる。
【００２２】
ナースコールシステム２の記憶手段、例えば、ナースコールサーバー２６の記憶装置２６１には、図３に示すように、看護情報テーブル２６２、看護師情報テーブル２６３および区域情報テーブル２６４が設けられている。看護情報テーブル２６２には、患者ＩＤが、担当の看護師ＩＤと共に、受診科目や看護履歴等を含む患者特有の看護情報に予め関連付けて記憶されている。看護師情報テーブル２６３には、看護師ＩＤが可動局ＩＤおよび情報機器端末ＩＤに予め関連付けて記憶されている。区域情報テーブル２６４には、複数の患者の看護情報を病院内の複数区域に関連付けるために、固定局ＩＤが廊下灯ＩＤおよび/またはナースコール子機ＩＤを介して患者ＩＤに予め関連付けて記憶されている。
【００２３】
一方、ナースコールシステム２の制御機２５は、看護情報処理システム１の制御手段として機能し、位置情報サーバー３３によって特定された院内区域に滞在する患者の看護情報を、ナースコールサーバー２６の記憶装置２６１から読み出し、その患者と同じ院内区域に現存する看護師の情報機器端末２４に表示させるための制御を行う。具体的には、図４に示すように、制御機２５は、位置情報サーバー３３から固定局ＩＤと看護師ＩＤを受け取り（Ｓ４１）、記憶装置２６１の区域情報テーブル２６４を参照し、固定局ＩＤに紐付けされた廊下灯ＩＤおよび/または子機ＩＤに基づいて、同じ病室に入院する数人の患者ＩＤを特定し（Ｓ４２）、これらの患者ＩＤに紐付けされた看護情報を看護情報テーブル２６２から読み出す（Ｓ４３）。
【００２４】
続いて、制御機２５は、位置情報サーバー３３から受け取った看護師ＩＤを看護情報テーブル２６２中の看護師ＩＤと照合し、検出された看護師と同じ院内区域にその看護師の担当患者がいるかどうかを判断する（Ｓ４４）。そして、担当患者がいない場合は、記憶装置２６１から読み出した全患者の看護情報を表示させるためのデータを作成し（Ｓ４５）、担当患者がいる場合は、その担当患者の看護情報のみを表示させるためのデータを作成する（Ｓ４６）。その後、看護師情報テーブル２６３を用いて、作成した表示データの送り先となる端末ＩＤを特定し、特定したＩＤの情報機器端末２４に表示データを送信する（Ｓ４７）。なお、担当患者がいる場合に、その担当患者の看護情報を先に、他の患者の看護情報を後に表示させる優先表示制御を行ってもよい。
【００２５】
次に、上記のように構成された看護情報処理システム１の作用について説明する。システム１の稼働中には、位置情報システム３の固定局機３２が定期的に電波を発信し、その電波を看護師の可動局機３１が受信し、両局間の交信結果に基づいて、位置情報サーバー３３が看護師の現在位置を継続的に特定する。例えば、図２に示すように、看護作業を行うために看護師Ｎが２０５号室に接近すると、この病室に設置された固定局機３２と可動局機３１とが交信し、看護師Ｎを特定する看護師ＩＤが２０５号室を特定する固定局ＩＤに組み合わされ、看護師Ｎが現在いる院内区域を特定するための情報として位置情報サーバー３３に蓄積されるとともに、サーバー３３からナースコール制御機２５に送信される。
【００２６】
看護師Ｎが２０５号室で所要の看護処置を終了すると、その処置結果が看護師Ｎによって情報機器端末２４に入力される。このとき、ナースコール制御機２５は、位置情報サーバー３３から受信した固定局ＩＤに予め関連付けられた廊下灯ＩＤおよび/または子機ＩＤに基づいて２０５号室に入院している患者ＩＤを特定し、これに紐付けされた看護情報をナースコールサーバー２６の記憶装置２６１から読み出す。そして、２０５号室に看護師Ｎの担当患者がいる場合は、図５（Ａ）に示すように、担当患者のみのベッド番号と患者名が情報機器端末２４の表示部２４１に一覧表示される。
【００２７】
この一覧表示画面において、看護師が処置後の患者を選択すると、表示部２４１の画面が図５（Ｂ）に示すように遷移し、そこに選択された担当患者の看護情報が詳細に表示される。看護情報の表示画面は、特定の構成に限定されないが、図５（Ｂ）に示すように、処置を行った患者の看護記録を入力するためのフォーマット情報２４２を含んでいるのが好ましい。こうすれば、看護師が看護記録を簡単かつ短時間に入力できるとともに、多くの看護師が行った処置内容をナースコールサーバー２６で効率よく管理できるという利点がある。
【００２８】
以上詳述したように、この実施形態の看護情報処理システム１によれば、看護師が現在いる病室を位置情報システム３によって特定し、この病室に入院する患者の看護情報を看護師が携帯する情報機器端末２４の表示部２４１に能動的に表示させることができる。このため、患者からの呼び出しがない場合でも、看護師は多くの患者の中から目的とする患者の看護情報をすばやく探し出し、その患者に提供した看護の記録を容易に入力することができる。特に、位置情報システム３の固定局ＩＤをナースコールシステム２の廊下灯ＩＤおよび／またはナースコール子機ＩＤに予め関連付けて記憶しているので、病院に既設のナースコールシステム２を活用し、該システム２と位置情報システム３との協働によって、大量の看護情報を効率よく処理し、看護業務の能率化に貢献できるという格別の効果がある。
【００２９】
なお、上記実施形態では、看護師が情報機器端末２４と可動局機３１の両方を携帯しているが、情報機器端末２４に、無線可動局としての機能を備えた機器を使用することで、看護師の負担を軽減することもできる。また、上記実施形態の位置情報システム３は、固定局機３２が発信した電波を可動局機３１が受信するように構成されているが、これとは逆に、可動局機３１が発信した電波を固定局機３２が受信するように構成してもよい。その他、本発明は、上記実施形態に限定されるものではなく、発明の趣旨を逸脱しない範囲で、各部の構成を適宜に変更して実施することも可能である。
【符号の説明】
【００３０】
１    看護情報処理システム
２    ナースコールシステム
３    位置情報システム
２１    ナースコール子機
２２    廊下灯
２３    ナースコール親機
２４    情報機器端末
２５    制御機
２６    ナースコールサーバー
２６１    記憶装置
３１    可動局機
３２    固定局機
３３    位置情報サーバー
【図１】
2018050739.tif 000003
【図２】
2018050739.tif 000004
【図３】
2018050739.tif 000005
【図４】
2018050739.tif 000006
【図５】
2018050739.tif 000007